(57)【特許請求の範囲】
【請求項１】
刈取穀稈を脱穀処理する脱穀装置と、前記脱穀装置にて脱穀処理して得られた穀粒を貯留する穀粒タンクとが備えられ、
前記穀粒タンクが、前記脱穀装置の上方に位置して、アクチュエータの操作により、水平軸芯周りで揺動昇降自在に機体固定部に支持され、
前記穀粒タンクの上昇揺動に伴って前記脱穀装置の扱室を開放させることが可能な連動操作機構が備えられ、
前記連動操作機構が、前記穀粒タンクの上昇揺動に伴って前記脱穀装置の扱室を開放させる連動作用状態と、前記穀粒タンクの上昇揺動にかかわらず前記脱穀装置の扱室を開放させない連動非作用状態とに切り換え自在であるコンバイン。
【請求項２】
刈取穀稈を脱穀処理する脱穀装置と、前記脱穀装置にて脱穀処理して得られた穀粒を貯留する穀粒タンクとが備えられ、
前記穀粒タンクが、前記脱穀装置の上方に位置して、アクチュエータの操作により、水平軸芯周りで揺動昇降自在に機体固定部に支持され、
前記穀粒タンクの上昇揺動に伴って前記脱穀装置の扱室を開放させることが可能な連動操作機構が備えられ、
前記穀粒タンクの上昇開始タイミングと、前記扱室の開放開始タイミングとをずらす融通が備えられているコンバイン。
【請求項３】
前記連動操作機構は、前記穀粒タンクの下降揺動に伴って前記扱室を閉塞状態に切り換える請求項１又は２に記載のコンバイン。
【請求項４】
前記扱室の上方を覆い且つ前記扱室を閉塞する閉状態と前記扱室を開放する開状態とに切り換え自在な天板部が備えられ、
前記連動操作機構は、前記天板部と前記穀粒タンクとを連動連結可能な連結部を備えている請求項１から３のいずれか１項に記載のコンバイン。
【請求項５】
前記天板部が、前記水平軸芯と平行な揺動軸芯周りに揺動開閉自在に機体固定部に支持され、
前記連結部は、前記穀粒タンクにおける前記水平軸芯とは反対側部分と、前記天板部における前記揺動軸芯とは反対側部分とを連動連結可能である請求項４記載のコンバイン。
【請求項６】
前記連結部は、前記天板部における前記揺動軸芯とは反対側の揺動側端部に連結可能である請求項５記載のコンバイン。
【請求項７】
前記連結部は、前記天板部における揺動軸芯方向中央部に連結可能である請求項４〜６のいずれか１項に記載のコンバイン。
【請求項８】
前記連結部は、前記穀粒タンクの底部に備えられた底部フレームに連結可能である請求項４〜７のいずれか１項に記載のコンバイン。
【請求項９】
前記連結部に、前記穀粒タンクの上昇開始タイミングと、前記天板部の上昇開始タイミングとをずらす融通が備えられている請求項４〜８のいずれか１項に記載のコンバイン。
【請求項１０】
前記連結部は、一端部が前記穀粒タンクに回動自在に支持される第１アームと、一端部が前記天板部に回動自在に支持されるとともに、他端部が前記第１アームの他端部と回動自在に連結された第２アームとを備え、
前記穀粒タンクの下降状態において、前記第１アームと前記第２アームとが折り畳まれるように構成されるとともに、前記穀粒タンクの上昇揺動に伴って、前記第１アームと前記第２アームとが折り畳み状態から伸長したのちに、前記天板部が上昇を開始するように構成されている請求項９記載のコンバイン。
【請求項１１】
前記連結部は、前記第１アームと前記第２アームとが折り畳み状態から伸長するときに、前記第１アームと前記第２アームとが一直線状に並ぶ伸長状態になる前に、それらの相対回動を規制する回動規制部を備えている請求項１０記載のコンバイン。
【発明の詳細な説明】
【技術分野】
【０００１】
本発明は、刈取穀稈を脱穀処理する脱穀装置と、脱穀装置にて脱穀処理して得られた穀粒を貯留する穀粒タンクとが備えられ、穀粒タンクが、脱穀装置の上方に位置する状態で備えられているコンバインに関する。
【背景技術】
【０００２】
従来のコンバインでは、脱穀装置の上方に位置する状態で備えられる穀粒タンクが、水平軸芯周りで回動自在に機体に支持され、油圧シリンダによって、穀粒排出用の傾斜姿勢に上昇させる上昇姿勢と、穀粒貯留用の下降姿勢とにわたり、姿勢切り換え自在に構成したものがあった。そして、脱穀装置における扱室の上部を覆う天板部は、穀粒タンクを上昇姿勢に切り換えた状態で手動で開放させるように構成されていた（例えば、特許文献１参照）。
【先行技術文献】
【特許文献】
【０００３】
【特許文献１】特開２０１４−１８１０４号公報
【発明の概要】
【発明が解決しようとする課題】
【０００４】
上記従来構成では、例えば、収穫作業に伴って脱穀装置の内部にて処理物が詰まって滞留したとき等においては、穀粒タンクを上昇姿勢に切り換えたのちに、手動にて脱穀装置の天板部を上昇姿勢に切り換えて扱室を開放させて点検を行う必要がある。脱穀装置の天板部は、扱胴による扱処理に伴う処理物の接触等によって摩耗して早期に破損することがないように厚めの金属板にて構成されている。その結果、天板部の重量が大になり、手動操作による天板部の開放操作は重量負担が大きいものとなる。
【０００５】
そして、従来では、天板部の重量負担を軽減するために、例えば、ガスダンパーを備えて、上昇操作の補助を行えるようにしているが、大型の脱穀装置においては、１つのガスダンパーだけでは補助が十分ではなく、作業者に労力の負担が掛かるものとなっていた。尚、ガスダンパーを複数用いることも考えられるが、部品点数が増えてコスト高を招く不利がある。
【０００６】
そこで、コスト高を招くことなく、脱穀装置の点検作業を楽に行えるようにすることが望まれていた。
【課題を解決するための手段】
【０００７】
本発明に係るコンバインの特徴構成は、
刈取穀稈を脱穀処理する脱穀装置と、前記脱穀装置にて脱穀処理して得られた穀粒を貯留する穀粒タンクとが備えられ、
前記穀粒タンクが、前記脱穀装置の上方に位置して、アクチュエータの操作により、水平軸芯周りで揺動昇降自在に機体固定部に支持され、
前記穀粒タンクの上昇揺動に伴って前記脱穀装置の扱室を開放させることが可能な連動操作機構が備えられ、
前記連動操作機構が、前記穀粒タンクの上昇揺動に伴って前記脱穀装置の扱室を開放させる連動作用状態と、前記穀粒タンクの上昇揺動にかかわらず前記脱穀装置の扱室を開放させない連動非作用状態とに切り換え自在である点にある。
【０００８】
本発明によれば、脱穀装置の上方に位置する穀粒タンクをアクチュエータの操作力により水平軸芯周りで揺動昇降操作させることができる。そして、アクチュエータの操作により穀粒タンクを上昇揺動させると、それに連動して、連動操作機構の作用によって脱穀装置の扱室が開放される。
【０００９】
すなわち、大重量の穀粒タンクを上昇揺動させるために備えられるアクチュエータの操作力を利用して、脱穀装置の扱室を開放させることができるのであり、扱室を開放させるための作業者による煩わしい手動操作が不要になる。
【００１０】
扱室を開放させるために手動操作を補助する特別な補助機構は不要であり、連動操作機構としては、穀粒タンクと扱室を覆う部材とを連動させるだけの簡単な構成で対応できる。つまり、簡単な構成を追加するだけの構造改良によって、煩わしさなく脱穀装置の点検作業を楽に行える。
【００１１】
従って、コスト高を招くことなく、脱穀装置の点検作業を楽に行えるようにすることが可能なコンバインを提供できるに至った。
また、本発明に係るコンバインの特徴構成は、
刈取穀稈を脱穀処理する脱穀装置と、前記脱穀装置にて脱穀処理して得られた穀粒を貯留する穀粒タンクとが備えられ、
前記穀粒タンクが、前記脱穀装置の上方に位置して、アクチュエータの操作により、水平軸芯周りで揺動昇降自在に機体固定部に支持され、
前記穀粒タンクの上昇揺動に伴って前記脱穀装置の扱室を開放させることが可能な連動操作機構が備えられ、
前記穀粒タンクの上昇開始タイミングと、前記扱室の開放開始タイミングとをずらす融通が備えられている点にある。
【００１２】
本発明においては、前記連動操作機構は、前記穀粒タンクの下降揺動に伴って前記扱室を閉塞状態に切り換えると好適である。
【００１３】
本構成によれば、アクチュエータの操作によって、穀粒タンクを上昇揺動させている状態から下降揺動させると、それに連動して扱室が閉塞状態に切り換わる。すなわち、穀粒タンクの上昇操作に伴う扱室の開放操作だけでなく、穀粒タンクの下降操作に伴う扱室の閉塞操作も連動して行うことができ、点検作業の煩わしさをより一層少ないものにできる。
【００１４】
本発明においては、
前記扱室の上方を覆い且つ前記扱室を閉塞する閉状態と前記扱室を開放する開状態とに切り換え自在な天板部が備えられ、
前記連動操作機構は、前記天板部と前記穀粒タンクとを連動連結可能な連結部を備えていると好適である。
【００１５】
本構成によれば、アクチュエータの操作により穀粒タンクを上昇揺動させると、それに伴って、連結部を介して穀粒タンクと連動連結されている天板部が閉状態から開状態に切り換わる。
【００１６】
天板部は、扱室の上方を覆うものであり、穀粒タンクの昇降揺動に対応する上下向きの動作で扱室を開閉させることができる。つまり、連結部は略同じ方向に操作されるものを連動させるだけの簡単な構造のもので対応できる。
【００１７】
本発明においては、
前記天板部が、前記水平軸芯と平行な揺動軸芯周りに揺動開閉自在に機体固定部に支持され、
前記連結部は、前記穀粒タンクにおける前記水平軸芯とは反対側部分と、前記天板部における前記揺動軸芯とは反対側部分とを連動連結可能であると好適である。
【００１８】
本構成によれば、天板部と穀粒タンクとは、夫々が平行な軸芯周りで揺動開閉自在であり、しかも、夫々の揺動端部側部分同士が連結部にて連動連結可能である。つまり、両者は、平行な軸芯周りで揺動するものであり、連動操作機構の構造が簡単になるとともに、拗れのない滑らかな連動操作が可能である。
【００１９】
本発明においては、前記連結部は、前記天板部における前記揺動軸芯とは反対側の揺動側端部に連結可能であると好適である。
【００２０】
本構成によれば、連結部は天板部の揺動側端部に連結可能であるから、穀粒タンクの上昇揺動に連動して天板部が上昇揺動するときに、連結部に掛かる荷重負担は、揺動軸芯に近い位置に連結する場合に比べて少ないものになり、それだけ荷重負担が少なくなる。
【００２１】
従って、連結部に掛かる荷重負担を少なくすることで、連結部の構造をより一層簡素なものにすることが可能となる。
【００２２】
本発明においては、前記連結部は、前記天板部における揺動軸芯方向中央部に連結可能であると好適である。
【００２３】
本構成によれば、連結部は、天板部における揺動軸芯方向中央部、すなわち、揺動端側箇所における軸芯方向に沿う横幅の中央部に連結可能であるから、連結部によって１箇所を連結するだけであってもバランスを崩すことなく良好に揺動操作させることができる。
【００２４】
従って、連結部の構造を簡素なものにしながら、穀粒タンクと天板とを良好に連動操作させることができる。
【００２５】
本発明においては、前記連結部は、前記穀粒タンクの底部に備えられた底部フレームに連結可能であると好適である。
【００２６】
本構成によれば、多量の穀粒を貯留するために穀粒タンクの底部に支持強度の大きい底部フレームが備えられ、この底部フレームを利用して連結部を連結可能である。つまり、支持強度の大きい底部フレームに連結されるので、アクチュエータの作動によって穀粒タンクが損傷する等のおそれが少なく、長期にわたり安定した揺動操作が可能となる。
【００２７】
本発明においては、前記連結部に、前記穀粒タンクの上昇開始タイミングと、前記天板部の上昇開始タイミングとをずらす融通が備えられていると好適である。
【００２８】
本構成によれば、穀粒タンクを上昇揺動させるために、アクチュエータが上昇操作を開始すると、アクチュエータが上昇操作を開始したのちに、上昇操作の途中で、穀粒タンクの上昇開始タイミングに至ると、そのタイミングから穀粒タンクが上昇揺動を開始する。その後、さらに、アクチュエータが上昇操作を継続して、天板部の上昇開始タイミングに至ると、そのタイミングから穀粒タンクが上昇操作を開始する。
【００２９】
つまり、アクチュエータの操作に伴って穀粒タンクが所定量上昇揺動したのちに、天板部が上昇を開始するので、穀粒タンクと天板部とを上下方向に沿って適切に間隔をあけた状態で連動操作させることができる。
【００３０】
その結果、例えば、穀粒タンクの上昇揺動操作と、天板部を開放させるための上昇操作とを同時に実行するときに、両者が干渉することで操作を阻害する等の不利のない状態で、良好な操作を行い易いものになる。
【００３１】
本発明においては、
前記連結部は、一端部が前記穀粒タンクに回動自在に支持される第１アームと、一端部が前記天板部に回動自在に支持されるとともに、他端部が前記第１アームの他端部と回動自在に連結された第２アームとを備え、
前記穀粒タンクの下降状態において、前記第１アームと前記第２アームとが折り畳まれるように構成されるとともに、前記穀粒タンクの上昇揺動に伴って、前記第１アームと前記第２アームとが折り畳み状態から伸長したのちに、前記天板部が上昇を開始するように構成されていると好適である。
【００３２】
本構成によれば、穀粒タンクが下方側に位置し且つ天板部が閉状態にあるときは、第１アームと第２アームとが折り畳まれた状態で収納されており、穀粒タンクが上昇を開始すると、第１アームと第２アームとが折り畳み状態から伸長していく。このとき、第１アームと第２アームとの姿勢が変化するだけであり、天板部は上昇しない。穀粒タンクの上昇に伴って、第１アームと第２アームとが伸長したのちは、それ以上の姿勢変化はしないので穀粒タンクの上昇に連動して天板部が上昇する。
【００３３】
第１アームと第２アームとが折り畳み状態から伸長するまでの間、穀粒タンクの上昇開始タイミングと天板部の上昇開始タイミングとがずれることになり、このような第１アームと第２アームとによりタイミングをずらすための融通が構成されている。
【００３４】
従って、２本のアームを枢支連結するという簡単な構成の連結部にて、上昇開始タイミングをずらせた状態で穀粒タンクと天板部とを連動連結することができる。
【００３５】
本発明においては、前記連結部は、前記第１アームと前記第２アームとが折り畳み状態から伸長するときに、前記第１アームと前記第２アームとが一直線状に並ぶ伸長状態になる前に、それらの相対回動を規制する回動規制部を備えていると好適である。
【００３６】
本構成によれば、第１アームと第２アームとが折り畳み状態から伸長するときに、回動規制部によって第１アームと第２アームとが一直線状に並ぶ伸長状態になることが規制される。つまり、伸長すると、第１アームと第２アームとが一直線状に並ぶのではなく、一直線状に並ぶ少し手前で姿勢が規制される。
【００３７】
その結果、このように伸長している状態から折り畳む状態に戻す場合、第１アームと第２アームとが前回の折り畳む状態と反対方向に屈折することを回避することができ、円滑に元の状態に戻すことができる。
【図面の簡単な説明】
【００３８】
【図１】普通型コンバインの全体側面図である。
【図２】普通型コンバインの全体平面図である。
【図３】普通型コンバインの一部切欠き背面図である。
【図４】脱穀装置と穀粒タンクとの支持構造を示す背面図である。
【図５】穀粒タンクを上昇排出姿勢に切り換えた状態の背面図である。
【図６】連動操作機構の作用状態を示す背面図である。
【図７】連動操作機構の分解斜視図である。
【図８】連動操作機構の連係状態を示す斜視図である。
【図９】連動操作機構の連係解除状態を示す斜視図である。
【発明を実施するための形態】
【００３９】
以下、本発明に係るコンバインの実施形態を普通型コンバインに適用した場合について図面に基づいて説明する。
【００４０】
〔全体構成〕
図１，２に示すように、普通型コンバインは、左右一対の操向不能な前車輪１と、左右一対の操向操作可能な後車輪２とを備えた走行機体３を備えている。この走行機体３の前部に、作物を刈り取って後方に搬送する刈取部４が刈取昇降シリンダ５により横向き支点Ｐ１周りで駆動昇降自在に支持されている。又、走行機体３には、前部側に位置してキャビン６にて覆われた運転者が搭乗する運転部７、刈取部４にて刈り取られた作物の脱穀処理を行う脱穀装置８、その脱穀装置８にて脱穀処理されて得られた穀粒を貯留する穀粒タンク９が備えられている。脱穀装置８の後方側下部には、脱穀装置８において脱穀処理が終了した後の排出物（茎稈屑等）を細かく細断して機体外部に排出する細断装置１２が備えられている。
尚、この実施形態では、左右方向を定義するときは、機体進行方向視で左側又は右側として定める。
【００４１】
刈取部４は、作物の株元を切断して刈り取るバリカン型の刈刃１３と、刈り取った作物を刈幅方向の中央部に寄せ集める横送りオーガ１４と、刈取対象となる作物の穂先側を後方に向けて掻込む回転リール１５と、中央に寄せ集められた作物を機体後方の脱穀装置８に向けて搬送するフィーダ１６とを備えて構成されている。
【００４２】
フィーダ１６は、角筒状のフィーダケース１７内に、前後方向に亘って左右一対の無端回動チェーン１８が巻回張設され、左右の無端回動チェーン１８にわたって架設する状態で周方向に沿って適宜間隔をあけて搬送体１９を備えており、搬送体１９によって横送りオーガ１４から受け渡された作物を後方上方に向けて搬送するように構成されている。
【００４３】
図４，６に示すように、脱穀装置８は、左右の側壁８Ａと天板部２０により囲われた内部空間の上部側に、駆動回転されて作物を扱き処理する扱胴２１と受網２２とを備え、刈取部４により搬送されてくる刈取穀稈の扱き処理を実行する扱室２３が形成されている。又、図１に示すように、扱室２３の下部には、扱室２３から漏下してくる扱き処理物を穀粒とワラ屑等に選別する選別処理部２４が備えられている。
【００４４】
選別処理部２４にて選別された穀粒は、一番物回収部２５にて回収されて、脱穀装置外部に備えられた搬送コンベア２６を介して脱穀装置８の上方に位置する穀粒タンク９に搬送して貯留される。
【００４５】
図４〜６に示すように、天板部２０は、右側端部において、枢支連結部２７を介して機体前後方向に沿う揺動軸芯Ｐ２周りで揺動開閉自在に機体固定部としての脱穀装置８の一方の側壁８Ａの上部に設けられた機枠２８に支持され、天板部２０の揺動端側箇所がボルトにて他端側の側壁８Ａの上端側箇所に固定される。
【００４６】
脱穀作業を行うときは、天板部２０は揺動端側箇所を複数のボルトにて締め付け固定することにより閉状態で固定される。一方、扱室２３内で穀稈が詰まりを起したり、扱胴２１の修理点検等のメンテナンス作業を行うときには、扱室２３を開放させるために、ボルトを緩めて天板部２０を開状態に切り換えることになる。
【００４７】
〔穀粒タンク〕
穀粒タンク９について説明する。
図２〜４に示すように、穀粒タンク９は、走行機体３の全幅又はほぼ全幅にわたって位置する状態で脱穀装置８の上方に備えられている。この穀粒タンク９は、底部に位置する底部フレーム２９にて支持されている。底部フレーム２９は、詳細な構成については図示はしていないが、複数の前後向きフレームと複数の横向きフレームとを格子状に組合わせて構成され、強固な支持強度を有している。
【００４８】
穀粒タンク９は、略全面にわたって平坦状に形成された底面部９Ａと、前側、後側、左側、右側の夫々を覆う平面視矩形状の周壁部９Ｂと、貯留空間の上方を覆う上面部９Ｃとを備えて、これらの底面部９Ａ、周壁部９Ｂ、上面部９Ｃにより囲まれる領域で穀粒貯留空間が形成されている。上面部９Ｃは、前後方向視で中央側が上方側に膨出する形状になっている。
【００４９】
周壁部９Ｂのうち前側部に穀粒投入口３０が形成されている。脱穀装置８にて回収された穀粒が搬送コンベア２６により搬送されて穀粒投入口３０を介して穀粒タンク９内に投入されて貯留される。又、周壁部９Ｂのうちの右側部の下部には、右側部の略全幅にわたる幅広の穀粒排出口３１が形成されている。そして、穀粒を貯留するときには、穀粒排出口３１を閉塞し、且つ、穀粒を排出させるときは、穀粒を外部に排出可能なように外方に張り出す遮蔽部材３２が備えられている。この遮蔽部材３２は、後述するように、穀粒タンク９の姿勢変化に連動して姿勢を変更するように構成されている。
【００５０】
穀粒タンク９は、天板部２０の揺動軸芯Ｐ２と平行な機体前後方向に沿う水平軸芯Ｐ３周りで揺動昇降自在に機体固定部としての機体フレーム３３に支持されている。
すなわち、図２〜５に示すように、穀粒タンク９の右側端部が前後両側に設けられた軸支部３４を介して水平軸芯Ｐ３周りで揺動昇降自在に支持されている。前後の軸支部３４は、穀粒タンク９に固定された機体前後向きの支軸３５と、支軸３５の回転を許容する状態で支軸３５に外嵌された軸受部材３６とによって構成されている。前後の軸支部３４それぞれの支軸３５は、穀粒タンク９の右側端部に設けた連結用ドラム部３７の前端部や後端部に固定されている。
【００５１】
図４に示すように、脱穀装置８の横側方には、機体フレーム３３及び脱穀装置８の機枠２８に連結されている枠組み構造の支持フレーム３８が備えられている。そして、前後の軸支部３４それぞれの軸受部材３６は、支持フレーム３８のうちの上部フレーム３９に支持されている。
【００５２】
このようにして、穀粒タンク９は、前後の支軸３５の機体前後向きの水平軸芯Ｐ３まわりに走行機体に対して上下揺動自在に支持されている。水平軸芯Ｐ３は、穀粒タンク９の底面部９Ａよりも下方に位置し、且つ、脱穀装置８の扱胴軸芯Ｐ４よりも上方に位置している。
【００５３】
穀粒タンク９の前後方向での中央部分であって且つ左右方向での中央部よりも右側寄り箇所の下方に、被操作部４０が底部フレーム２９に支持された状態で設けられている。被操作部４０と支持フレーム３８とにわたって連結してあるアクチュエータとしてのタンク昇降シリンダ４１により、穀粒タンク９を水平軸芯Ｐ３まわりに下降貯留姿勢と上昇排出姿勢とにわたって揺動操作できるように構成されている。
【００５４】
穀粒タンク９は、被操作部４０がタンク昇降シリンダ４１によって下降操作されると、図４に示すように、穀粒を貯留するために底面部９Ａが略水平姿勢となる下降貯留姿勢になる。この下降貯留姿勢では、底面部９Ａと脱穀装置８の天板部２０の上端とが近接する状態になる。
【００５５】
穀粒タンク９は、被操作部４０がタンク昇降シリンダ４１によって押し上げ操作されると、図５に示すように、左側が上側に位置し、右側が下方に位置する傾斜姿勢である上昇排出姿勢に切り換わる。この上昇排出姿勢では、貯留している穀粒が穀粒排出口３１から機体右横外側に向けて自然流出によって排出される。
【００５６】
〔遮蔽部材〕
次に、遮蔽部材３２について説明する。
図３〜５に示すように、遮蔽部材３２は、穀粒タンク９の穀粒排出口３１が形成される右横側部の下端部に、機体前後向きの軸芯Ｐ５まわりに揺動自在に支持されている。この遮蔽部材は、図４に示すように穀粒排出口３１を閉塞する格納姿勢と、図５に示すように穀粒排出口３１を開放する開放姿勢とにわたって姿勢変更自在に構成されている。
【００５７】
穀粒タンク９が下降貯留姿勢に切り換えられると、遮蔽部材３２が格納姿勢に切り換わり、穀粒タンク９が上昇排出姿勢に切り換えられると、遮蔽部材３２が開放姿勢に切り換わるように、それらが連動連係されている。
【００５８】
すなわち、遮蔽部材３２の前後両側部それぞれと穀粒タンク９とにわたって屈伸リンク４２が備えられるとともに、穀粒タンク９が水平軸芯Ｐ３まわりで揺動操作されるに伴って、屈伸リンク４２を介して遮蔽部材３２を連動して姿勢変更させる操作ワイヤ４３が備えられている。
【００５９】
屈伸リンク４２は、穀粒タンク側の第１リンク４２ａと、遮蔽部材側の第２リンク４２ｂとを備え、第１リンク４２ａの端部は揺動自在に穀粒タンク９に連結され、第２リンク４２ｂの端部は遮蔽部材３２の上下途中部に揺動自在に連結されている。
【００６０】
図４に示すように、操作ワイヤ４３におけるインナーワイヤ４３Ａの一端部が第１リンク４２ａの途中部に連結され、インナーワイヤ４３Ａの他端部が、穀粒タンク９の底部フレーム２９に一体的に連結されたワイヤ連結具４４に連結されている。又、操作ワイヤ４３におけるアウターワイヤ４３Ｂの一端部が穀粒タンク９の横側部に備えられた受け具４５に支持され、アウターワイヤ４３Ｂの他端部は、上部フレーム３９から上方に延設された縦向きフレーム４６の上端部に備えられた受け具４７に支持されている。
【００６１】
図４に示すように、穀粒タンク９が下降貯留姿勢に切り換えられると、インナーワイヤ４３Ａが引き操作されて、第１リンク４２ａが機体内方側に揺動操作されて、遮蔽部材３２が格納姿勢に切り換わる。従って、穀粒タンク９が下降貯留姿勢に切り換わると、穀粒排出口３１が閉塞されて穀粒を貯留可能な状態になる。
【００６２】
図５に示すように、穀粒タンク９が上昇排出姿勢に切り換えられると、インナーワイヤ４３Ａが緩められて第１リンク４２ａが遮蔽部材３２の自重や穀粒の重量により機体外方側に揺動して遮蔽部材３２が開放姿勢に切り換わる。このとき、伸展状態となった屈伸リンク４２により、遮蔽部材３２が穀粒タンク９の底面部９Ａに略沿う状態で姿勢保持される。その結果、穀粒タンク９の内部に位置する穀粒が自然流動によって穀粒排出口３１からスムーズに流動して排出される。
【００６３】
穀粒タンク９が下降貯留姿勢になった際、穀粒タンク９の底面部９Ａのうちの軸支部３４が位置する側とは反対側の部分であって軸支部３４に近い部分において、穀粒タンク９側に設けた複数の脚フレーム４８が機体側のフレーム材４９の上面に接当して下方から支持されている。
【００６４】
又、穀粒タンク９は、底面部９Ａのうちの軸支部３４が位置する側とは反対側の部分であって軸支部３４から遠い部分において、脱穀装置８の天板部２０から上向きに延びる状態で設けられた複数の支持フレーム５０により底部フレーム２９が受止められて下方から支持されている。
【００６５】
〔連動操作機構〕
穀粒タンク９の上昇揺動に伴って脱穀装置８の扱室２３を開放させることが可能な連動操作機構Ｒが備えられている。この連動操作機構Ｒは、扱室２３の上方を覆う天板部２０と穀粒タンク９とを連動連結する連結部５１を備えている。
【００６６】
図１，２に示すように、連結部５１は、天板部２０における揺動軸芯方向、すなわち、機体前後方向の中央部に位置する状態で１組備えられている。そして、図３〜６に示すように、連結部５１は、一端部が穀粒タンク９に回動自在に支持される第１アーム５２と、一端部が天板部２０に回動自在に支持されるとともに、他端部が第１アーム５２の他端部と回動自在に連結された第２アーム５３とを備えている。
【００６７】
図６〜８に示すように、第１アーム５２の一端部は、穀粒タンク９における水平軸芯Ｐ３とは反対側部分において底部フレーム２９に備えられた係止用ボルト５４に対して連動連係されている。第１アーム５２に係止用ボルト５４に外挿される挿通孔５５が形成され、この挿通孔５５がアーム長手方向に沿う長孔に形成されている。このように構成することで、揺動支点位置が異なる穀粒タンク９と第１アーム５２とが連動して揺動するときに、拗れのない状態で滑らかに作動するようにしている。
【００６８】
又、第１アーム５２を底部フレーム２９に連係するための係止用ボルト５４は、底部フレーム２９に固定された支持ブラケット５６を挿通してナット５７に締結されている。そして、この係止用ボルト５４はナット５７との締結を解除することで取外し可能である。
【００６９】
第２アーム５３の一端部は、天板部２０の揺動軸芯とは反対側部分における揺動側端部に枢支連結されている。つまり、天板部２０の揺動側端部から上方に係止ロッド５８が延設され、係止ロッド５８の上部がＬ字形に屈曲して横向き部５８ａを備えている。係止ロッド５８の横向き部５８ａに第２アーム５３の一端部に形成された挿通孔５９を外挿させて、第２アーム５３が揺動自在に枢支連結されている。
【００７０】
連結部５１は、穀粒タンク９の下降状態において、第１アーム５２と第２アーム５３とが折り畳まれるように構成されるとともに、穀粒タンク９の上昇揺動に伴って、第１アーム５２と第２アーム５３とが折り畳み状態から伸長したのちに、天板部２０が上昇を開始するように構成されている。折り畳み状態では、各アーム５２，５３は天板部２０の傾斜面２０ａに沿って載置された状態で保持される。
【００７１】
このように構成することで、第１アーム５２と第２アーム５３とが折り畳み状態から伸長するまでの間は、穀粒タンク９が上昇していても、天板部２０は上昇しないので、連結部５１には、穀粒タンク９の上昇開始タイミングと天板部２０の上昇開始タイミングとをずらす融通が備えられることになる。
【００７２】
又、第１アーム５２と第２アーム５３とが折り畳み状態から伸長するときに、第１アーム５２と第２アーム５３とが一直線状に並ぶ伸長状態になる前に、それらの相対回動を規制する回動規制部６０が備えられている。
【００７３】
すなわち、図７に示すように、第１アーム５２及び第２アーム５３は、夫々、帯板材からなり、それらが板面同士を重ね合わせる状態で中継ピン６１により枢支連結される。そして、第２アーム５３の他端部側の端縁部を後向きにＬ字形に折り曲げて回動規制部６０が形成されている。第１アーム５２と第２アーム５３とが伸長すると、図５及び図６の仮想線にて示すように、第１アーム５２の端面が回動規制部６０に接当して、第１アーム５２と第２アーム５３とが一直線状に並ぶ伸長状態になることを規制する構成となっている。
【００７４】
図６に示すように、タンク昇降シリンダ４１の操作により、穀粒タンク９が下降貯留姿勢から上昇排出姿勢に切り換えられるに伴って、穀粒タンク９が下降貯留姿勢から第１設定角度α１に至るまで上昇揺動する間は、穀粒タンク９が揺動するとともに、第１アーム５２が中継ピン６１の軸芯周りで揺動する。
【００７５】
穀粒タンク９が第１設定角度α１を超えて第２設定角度α２にまで上昇揺動する間は、穀粒タンク９の揺動と、それに伴う第１アーム５２の上昇揺動に加えて、第２アーム５３が係止ロッド５８の軸芯周りで上昇揺動する。
【００７６】
穀粒タンク９が第２設定角度α２に上昇揺動すると、第１アーム５２の端面が第２アーム５３に形成された回動規制部６０に接当して、第１アーム５２と第２アーム５３との間でのそれ以上の相対揺動変位が規制される。従って、穀粒タンク９が第２設定角度α２を超えてさらに上昇揺動すると、第１アーム５２の端面が第２アーム５３の回動規制部６０に接当した状態を維持しながら、第１アーム５２と第２アーム５３とが一体的に上昇揺動して、天板部２０が上昇揺動を開始する。その後は、穀粒タンク９の上昇揺動に伴って天板部２０が一体的に連動して上昇揺動する。
【００７７】
穀粒タンク９の上昇揺動角度に対して天板部２０の上昇揺動角度が大になるように設定されている。例えば、穀粒タンク９が約４０度上昇揺動すると、天板部２０は約４５度上昇揺動する。
【００７８】
そして、穀粒タンク９を上昇揺動させた状態から、タンク昇降シリンダ４１により穀粒タンク９下降揺動させると、それに伴って、天板部２０が下方に揺動して扱室２３の上方を閉塞する閉塞状態に切り換えられる。このように天板部２０が閉塞状態に切り換わったのちは、天板部２０の揺動端側箇所をボルト締結によって側壁８Ａの上端部に固定する。
【００７９】
穀粒タンク９の昇降揺動操作に伴う天板部２０の連動昇降を行わないときは、係止用ボルト５４を底部フレーム２９から取り外して、連結部５１による穀粒タンク９と天板部２０との連動連係状態を解除することができる。
【００８０】
連結部５１による穀粒タンク９と天板部２０との連動連係状態を解除する場合には、係止用ボルト５４を利用して、第１アーム５２と第２アーム５３とを天板部２０に固定して位置保持することができる。
【００８１】
すなわち、図８，９に示すように、第１アーム５２の長手方向の途中部と、第２アーム５３の長手方向の途中部の夫々に、折り畳み状態において重なり合うように、挿通孔６２，６３が形成されている。又、天板部２０には、折り畳み状態における各アーム５２、５３の挿通孔６２，６３に対応する箇所に、挿通孔６４が形成された支持ブラケット６５が備えられている。そして、底部フレーム２９から取り外した係止用ボルト５４を利用して、第１アーム５２と第２アーム５３とを支持ブラケット６５に共締め状態で固定することができる。
【００８２】
中継ピン６１による第１アーム５２と第２アーム５３との枢支連結箇所には融通が設けられ、第１アーム５２と第２アーム５３とが接近離間する方向に少し位置変更することができるようになっている。そして、折り畳み状態では、第１アーム５２に形成されている挿通孔５５と係止ロッド５８とが嵌り合って、第１アーム５２と第２アーム５３とが重なり合う状態で位置保持できるようになっている。
【００８３】
〔別実施形態〕
（１）上記実施形態では、連結部５１が、天板部２０における揺動軸芯方向中央部に１組だけ設けられる構成としたが、揺動軸芯方向に離間した位置に複数備えられる構成としてもよい。
【００８４】
（２）上記実施形態では、連結部５１が、天板部２０における揺動軸芯とは反対側の揺動側端部に連結される構成としたが、揺動側端部に代えて、揺動軸芯側に寄った位置に連結する構成としてもよい。
【００８５】
（３）上記実施形態では、連結部５１が枢支連結される一対のアーム５２，５２にて構成されるものを示したが、このような構成に代えて、例えば、操作ワイヤを介して連動連係する構成等、種々の連係構造を用いることができる。
【００８６】
（４）上記実施形態では、連結部５１が、穀粒タンク９の底部に備えられた底部フレーム２９に連結されるものを示したが、底部フレーム２９に代えて、穀粒タンク９の底面部に直接連結してもよく、フランジ部を有するタンクであれば、フランジ部に連結するようにしてもよい。
【００８７】
（５）上記実施形態では、連動操作機構Ｒとして、穀粒タンク９の揺動上昇に伴って、脱穀装置８の天板部２０を上昇揺動させる連結部５１を備える構成としたが、このような構成に代えて、穀粒タンク９の揺動上昇に伴って脱穀装置８の側壁８Ａを開放させる構成としたり、天板部２０と側壁８Ａとを含む扱室２３の覆い部全体を開放させるようにしてもよい。
【００８８】
（６）上記実施形態では、アクチュエータとして油圧シリンダからなるタンク昇降シリンダ４１を用いたが、電動モータや油圧モータ等の他の種類のアクチュエータでもよい。
【００８９】
（７）上記実施形態では、普通型コンバインに適用したものを示したが、本発明は自脱型コンバインにも適用できる。
【産業上の利用可能性】
【００９０】
本発明は、普通型コンバインや自脱型コンバインに適用できる。
【符号の説明】
【００９１】
８        脱穀装置
２０      天板部
２３      扱室
２６      穀粒タンク
２８      機体固定部（機枠）
２９      底部フレーム
３３      機体固定部（機体フレーム）
４１      アクチュエータ
５１      連結部
５２      第１アーム
５３      第２アーム
６０      回動規制部
Ｐ２      揺動軸芯
Ｐ３      水平軸芯
Ｒ        連動操作機構
【図１】
0006272737.tif 000002
【図２】
0006272737.tif 000003
【図３】
0006272737.tif 000004
【図４】
0006272737.tif 000005
【図５】
0006272737.tif 000006
【図６】
0006272737.tif 000007
【図７】
0006272737.tif 000008
【図８】
0006272737.tif 000009
【図９】
0006272737.tif 000010